(57)【要約】【課題】床敷物シートのジョイント部分の切り合わせ切断位置を調整でき、かつ床不陸の影響を受けない床材シートジョイントカッターを提供する。【解決手段】本体を移動かつ固定し、切断位置を可変できる支持体を有し垂直方向に撓なるガイドを有する事を特徴とする。【選択図】図１
2020193547.tif 000002
【特許請求の範囲】
【請求項１】
第一の刃と第二の刃と、
前記第一の刃と第二の刃を有する本体と
前記第一の刃と第二の刃の側面に対し、
直行方向に伸びる支持体と前記本体が可動的に接続され
又、前記支持体と土台も可動的に接続されていることを特徴とするカッター
【請求項２】
土台の少なくとも４箇所にローラー部分を設けた
請求項１に記載のカッター
【請求項３】
土台の底部に垂直方向に可動するガイドを設けた
請求項１に記載のカッター
【発明の詳細な説明】
【技術分野】
【０００１】この発明は、床材に使用されるシートのジョイント部分の切り合わせる長さを可変でき、かつ床材にキズを付けず切り損じないジョイントカッターに関するものである。
【背景技術】
【０００２】従来、ジョイントを切り合わせる物は下にあるシートに丁度、もしくは少しの隙間を開ける事しかできなかった。【０００３】又、使用時ガイド板全体が床材の上を摩って移動する為、仕上げ材を傷つけてしまう。そして床面に少しでも不陸が有るとガイド板底面が前記不陸に押し上げられ下側シート端部よりガイド先端が外れ切り損じてしまう。
【先行技術文献】
【０００４】
【発明の概要】
【発明が解決しようとする課題】
【０００５】従来のジョイントカッターには次のような欠点があった。底部ガイド板を本体を支える土台とし回転可動するように一本のネジでつないでいるだけの為、ネジの締め具合による１ｍｍ程度の調整しかできなかった。その為床材を重ね合わせて仕上げる屋上防水のシート施工には使用できない。【０００６】又、平板状のガイド全体が床材の仕上げ面の上を摩って移動する為、仕上げ材を傷つけてしまう。【０００７】そして従来のガイド板は使用時カッター部を有する本体からの力を受けた時、曲がったり歪んだりしないよう硬く丈夫な撓ならない造りとなっている。これはガイド板そのものが本体を支えている為、撓ってしまうと切断位置がずれてしまうからである。この撓ならないガイド板は床に不陸が有った時ガイド先端が沿わせるシートから外れ、違った位置を切断してしまう。
【課題を解決する為の手段】
【０００８】刃を備えた本体下部に切断方向に対して直行方向に伸びた平板を設ける。前記平板上を本体が平行移動かつネジにて固定できるようにする。平板の両端部を９０°曲げその両方にシャフトを通し土台と本体が回転可動するように接続する。
【０００９】前記土台の四方にローラーを設ける。
【００１０】前記土台の底部に垂直方向に弾性の有るガイド板を設ける。ガイド板の端部にガイドフック部分を二つ設けさまざまな床の不陸にもガイドフックが外れず対応できるように二つのガイドフックの間には隙間を設ける。
【００１１】ガイドフック先端のみが床材小口のみに接触する様、土台底面より床方向へ少し斜めにガイド板を設ける。
【００１２】本体上部からの力を支え土台の接地部分となるローラー部分は、使用時シートのジョイント部分を跨ぐよう設ける。このジョイントを跨いだローラーにより本体が左右に傾く事なく支えられている為、撓なるガイドを用いる事が可能となる。本発明は以上の構成による床材シートジョイントカッターである。
【発明の効果】
【００１３】カッター刃を設けた本体下部に、切断方向に対して直行方向に伸びる支持材を設けその上を移動かつ固定できるように接続した事で切断可能な範囲をすばやく設定かつ大きく可変する事が出来、丁度にシートを切り合わせる事も防水効果の高い重ね合わせた状態で切り揃える事も出来るので作業目的に合わせた使用が可能となる。
【００１４】又、従来はガイド板そのものが床面にある床材に接地し本体を支えていたが、本発明は本体からの力を受け床面に接地する土台が設けられ、土台には四方にローラーが設けられているので床材にキズが付かない。
【００１５】そして支持板と土台とローラーに本体が支えられることにより設ける事が可能となった、上下方向に独立可動する二つのガイドフックは、床面のさまざまな凸凹や不陸にも、ガイドフックが外れる事がなく切り損じる事がない。以上のように作業効率だけでなく仕上げの向上かつ防水シート施工の重ね仕上げも可能となる。
【図面の簡単な説明】
【００１６】
【図１】本発明の斜視図である
【図２】本発明の分解斜視図である
【図３】ガイド可動の斜視図である
【図４】本発明の後部からの図である
【図５】従来の斜視図である
【発明を実施するための形態】
【００１７】以下図面を参照しながら、本発明を実施する為の形態について説明する。なお本明細書及び図面においては、同一の符号が付された構成要素は構成または機能を有するものとする。
【００１８】図１は本発明にかかる床材シートジョイントカッターの一例として構成を示す斜視図で本体１の両端部分にはシートを切断する為の刃３と刃４を設ける。
【００１９】本体１は支持板２と可動的に接続されていて、切断位置固定ネジ５を緩める事により、本体１に設けた刃３と刃４をシートの切断したい位置に移動し固定する事ができる。これにより図４の様にＡからＢの間で上側シート１５の切断ができる。
【００２０】支持板２の両端部と土台６を回転可動するようにシャフト７にて接続する。これにより本体を傾けると本体１の両端部の刃３又は刃４の一方が土台６の底部より突出する。
【００２１】土台の四方にローラー８を設け床材１４と１５との摩擦をなくし床材にキズが付かないようにする。この時重要になるのは本体からの力を受け床面に接するローラー部分が切断部分を跨いで力を支えられるようにする。これにより本体は左右に傾かず安定する。
【００２２】土台６の底部に垂直方向に撓なるガイド板１１を設ける。ガイド板１１に少なくとも二つのガイドフック１２を設けそのそれぞれが独立して可動するよう、二つのガイドフック間に隙間を設ける。これにより床面の不陸により土台６が上下方向に揺れ動いたとしても、ガイドフック部分１２は常に下側シート１４のガイド面部分に押し当てられる為、ガイドフック部分１２が外れ切り損じる事がない。（図３矢印Ｃ参照）
【００２３】本体１の上からの力を直接ガイド板１１が受けず、土台６が受け止め刃を設けた本体を支えている為、ガイド板１１が上下方向に撓なり動いても本体１が左右に傾く事はなく切断位置がずれてしまうことがない。
【００２４】支持板２に目盛り９を設ける事で素早く簡単に切断位置に合わせる事ができる。
【００２５】ガイド板１１が力を受けてない状態の時、ガイド板先端部分１２は不陸の高低差より大きくローラーの最下部より下に出ている。糊付き防止スタンドを下方向に折り込む事で使用後ガイド先端に付いた糊が床面に付くのを防ぐ。
【００２６】切断使用時、下側シートの端部は上側シートに隠れている為、切断方向が分かりづらくなる。その時、力を掛ける方向が分かりやすいように矢印１８を設ける。
【００２７】本体を傾け使用した後、本体が元の位置に戻るよう、支持板バネ１７を支持板２の下に設ける。
【００２８】使用状況により、二つ有るガイド板先端１２の片側一方が摩耗した時はガイド板固定ネジ１９を緩めて切断位置のバランスを微調整できる。
【００２９】以上、図面を参照しながら本発明の好適な実施の形態について説明したが本発明は上述した形態に限定されない。すなわち、特許請求の範囲に記載された発明の範囲内で当業者が想到し得る形態または各種の変更例についても本発明の技術的範囲に属するものと理解される。
【符号の説明】
【００３０】    １本体
２支持板
３刃
４刃
５切断位置固定ネジ
６土台
７シャフト
８ローラー
９目盛り
１０糊付き防止スタンド
１１独立可動ガイド
１２ガイド先端
１３固定板
１４下側シート
１５上側シート
１６床
１７支持板バネ
１８押し出し方向矢印
１９ガイド板固定ネジ
【図１】
2020193547.tif 000003
【図２】
2020193547.tif 000004
【図３】
2020193547.tif 000005
【図４】
2020193547.tif 000006
【図５】
2020193547.tif 000007